(57)【特許請求の範囲】
【請求項１】
コード化パターンが形成された記入用紙と、コード化パターンが形成された分類指定用紙と、電子ペンと、表示部を有するコンピュータ装置とを備える電子ペンシステムであって、
前記電子ペンは、
前記コード化パターンに基づいて、当該電子ペンにより前記記入用紙に記入された手書きストロークを含む記入情報を取得する記入情報取得手段と、
前記コード化パターンに基づいて、当該電子ペンにより指定された前記分類指定用紙上の位置に対応する分類を取得する分類取得手段と、
前記記入情報及び前記分類を前記コンピュータ装置に送信する送信手段と、を備え、
前記コンピュータ装置は、
前記記入情報及び前記分類を前記電子ペンから受信する受信手段と、
前記記入情報に含まれる手書きストロークを、前記表示部における前記分類に対応する表示エリアに表示させる表示制御手段と、を備え、
前記分類指定用紙には、手書きストロークを分類するための所定の基準によって規定された軸により構成された２次元座標系が印刷されており、
前記分類取得手段は、前記２次元座標系内において前記電子ペンにより指定された位置に対応する分類を取得し、
前記表示部には、前記分類指定用紙に印刷されている２次元座標系と同一の２次元座標系が表示されており、
前記表示制御手段は、前記分類指定用紙の２次元座標系内で前記電子ペンにより指定された位置に対応する前記表示部の２次元座標系内の位置に、前記手書きストロークを表示させることを特徴とする電子ペンシステム。
【請求項２】
前記表示制御手段は、手書きストロークを表示するための表示エリアを分割した複数のエリアのうち、前記分類に対応するエリアに、前記手書きストロークを表示させることを特徴とする請求項１に記載の電子ペンシステム。
【請求項３】
前記表示制御手段は、
前記手書きストロークを２次元座標系に表示させ、
前記２次元座標系を規定する軸に前記手書きストロークが重なる場合に、前記軸に重ならない位置に前記手書きストロークを表示させることを特徴とする請求項１に記載の電子ペンシステム。
【請求項４】
前記受信手段が受信する前記記入情報は、複数の段階において記入された手書きストロークに関する情報を含んでおり、
前記表示制御手段は、前記複数の段階の中で選択された段階ごとに、前記手書きストロークを表示させることを特徴とする請求項１乃至３のいずれか一項に記載の電子ペンシステム。
【請求項５】
前記受信手段が受信する前記記入情報は、複数の段階において記入された手書きストロークに関する情報を含んでおり、
前記表示制御手段は、前記手書きストロークが記入された順序が判別可能な態様で、前記複数の段階で記入された手書きストロークを全て表示させることを特徴とする請求項１乃至３のいずれか一項に記載の電子ペンシステム。
【請求項６】
前記受信手段が受信する前記記入情報は、複数の記入者によって記入された手書きストロークに関する情報を含んでおり、
前記表示制御手段は、前記複数の記入者の中で選択された記入者によって記入された手書きストローク、又は前記複数の記入者によって記入された全ての手書きストロークを表示させることを特徴とする請求項１乃至５のいずれか一項に記載の電子ペンシステム。
【請求項７】
前記表示制御手段は、手書きストロークを表示するための表示エリアにおける一部のエリアにおいて、複数の手書きストロークが重なり合って表示される場合に、前記複数の手書きストロークが重なり合わないように、前記複数の手書きストロークの相対位置を維持した状態で、前記一部のエリアを拡張する処理を行うことを特徴とする請求項１乃至６のいずれか一項に記載の電子ペンシステム。
【請求項８】
前記表示制御手段は、手書きストロークを表示するための表示エリアにおける一部のエリア内に位置する複数の手書きストロークを、選択された所定の順序によって並べて表示させることを特徴とする請求項１乃至７のいずれか一項に記載の電子ペンシステム。
【発明の詳細な説明】
【技術分野】
【０００１】
本発明は、電子ペンによって記入された手書きストロークを表示する技術分野に関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１に記載されているように、アノトペンは、用紙に印刷された所定のドットパターンを読み取って記入情報を生成し、当該記入情報を端末装置に送信する。
【０００３】
特許文献２には、ドットパターンに対向する電子ペンの角度に起因するドットの画像上の配列を補正する回転補正処理機能が記載されている。特許文献３には、電子ペンを用いた協働学習システムにおいて、電子ペンで色・線幅選択パレット用紙にタップすると、コンピュータ上に表示されるストロークの色や線幅を変更する技術が開示されている。特許文献４には、電子ペンを用いた協働学習システムにおいて、表示画面で任意の位置・大きさの範囲を指定すると、各解答用紙における同じ範囲を並べて一覧表示する技術が開示されている。特許文献５には、仕分けビュー内で、画面上に表示されたサムネイルを、ペンデバイスで移動させたりする技術が開示されている。
【先行技術文献】
【特許文献】
【０００４】
【特許文献１】特許第３８７２４９８号公報
【特許文献２】特表２００３−５２９８５３号公報
【特許文献３】特開２００９−２５１９２５号公報
【特許文献４】特開２００９−２７６４７９号公報
【特許文献５】特開２００５−２７６１６３号公報
【発明の概要】
【発明が解決しようとする課題】
【０００５】
ところで、ユーザが記入した意見などを、その内容に応じた分類に従った表示態様で表示できれば便宜である。そこで、本発明は、電子ペンによって記入された手書きストロークの内容に応じた分類に従った表示態様で、手書きストロークを適切に表示させることが可能なコンピュータ装置、シートセット、シート、及びプログラムを提供することを主な目的とする。
【課題を解決するための手段】
【０００６】
本発明の１つの観点では、コード化パターンが形成された記入用紙と、コード化パターンが形成された分類指定用紙と、電子ペンと、表示部を有するコンピュータ装置とを備える電子ペンシステムであって、前記電子ペンは、前記コード化パターンに基づいて、当該電子ペンにより前記記入用紙に記入された手書きストロークを含む記入情報を取得する記入情報取得手段と、前記コード化パターンに基づいて、当該電子ペンにより指定された前記分類指定用紙上の位置に対応する分類を取得する分類取得手段と、前記記入情報及び前記分類を前記コンピュータ装置に送信する送信手段と、を備え、前記コンピュータ装置は、前記記入情報及び前記分類を前記電子ペンから受信する受信手段と、前記記入情報に含まれる手書きストロークを、前記表示部における前記分類に対応する表示エリアに表示させる表示制御手段と、を備え、前記分類指定用紙には、手書きストロークを分類するための所定の基準によって規定された軸により構成された２次元座標系が印刷されており、前記分類取得手段は、前記２次元座標系内において前記電子ペンにより指定された位置に対応する分類を取得し、前記表示部には、前記分類指定用紙に印刷されている２次元座標系と同一の２次元座標系が表示されており、前記表示制御手段は、前記分類指定用紙の２次元座標系内で前記電子ペンにより指定された位置に対応する前記表示部の２次元座標系内の位置に、前記手書きストロークを表示させる。
【０００７】
上記の電子ペンシステムでは、電子ペンは、当該電子ペンにより前記記入用紙に記入された手書きストロークを含む記入情報と、当該電子ペンにより指定された前記分類指定用紙上の位置に対応する分類とを取得する。コンピュータ装置は、電子ペンによって読み取られたコード化パターンに関する記入情報を受信し、当該記入情報に応じた処理を行う。具体的には、コンピュータ装置は、電子ペンによって記入された手書きストローク（以下では、単に「ストローク」とも表記する）を含む記入情報と、当該手書きストロークの内容に応じた分類に関する情報を取得する。そして、コンピュータ装置の表示制御手段は、手書きストロークを、当該手書きストロークの内容に応じた分類に従ったエリアに表示させる。詳しくは、前記分類指定用紙には、手書きストロークを分類するための所定の基準によって規定された軸により構成された２次元座標系が印刷されており、前記分類取得手段は、前記２次元座標系内において前記電子ペンにより指定された位置に対応する分類を取得し、前記表示部には、前記分類指定用紙に印刷されている２次元座標系と同一の２次元座標系が表示されており、前記表示制御手段は、前記分類指定用紙の２次元座標系内で前記電子ペンにより指定された位置に対応する前記表示部の２次元座標系内の位置に、前記手書きストロークを表示させる。これにより、手書きストロークとその分類とを容易に把握することが可能となる。
【０００８】
上記の電子ペンシステムの一態様では、前記表示制御手段は、手書きストロークを表示するための表示エリアを分割した複数のエリアのうち、前記分類に対応するエリアに、前記電子ペンによって記入された手書きストロークを表示させる。これにより、手書きストロークが表示されたエリアに基づいて、手書きストロークの分類を容易に把握することができる。
【００１０】
この態様では、電子ペンによって、手書きストロークを分類するための所定の基準によって規定された軸により構成された２次元座標系に記入されることで、手書きストロークについての分類が指定される。表示制御手段は、記入情報に基づいて２次元座標系に電子ペンによって記入された位置を特定し、当該位置に対応する表示エリア上の位置に、手書きストロークを表示させる。これにより、指定された分類に対応する位置に、手書きストロークを適切に表示させることができる。
【００１１】
上記の電子ペンシステムの他の一態様では、前記表示制御手段は、前記手書きストロークを２次元座標系に表示させ、前記２次元座標系を規定する軸に前記手書きストロークが重なる場合に、前記軸に重ならない位置に前記手書きストロークを表示させる。これにより、手書きストロークの分類を速やかに把握することが可能となる。
【００１２】
上記の電子ペンシステムの他の一態様では、前記受信手段が受信する前記記入情報は、複数の段階において記入された手書きストロークに関する情報を含んでおり、前記表示制御手段は、前記複数の段階の中で選択された段階ごとに、前記手書きストロークを表示させる。これにより、各段階で記入された手書きストロークを提示することができる。
【００１３】
上記の電子ペンシステムの他の一態様では、前記受信手段が受信する前記記入情報は、複数の段階において記入された手書きストロークに関する情報を含んでおり、前記表示制御手段は、前記手書きストロークが記入された順序が判別可能な態様で、前記複数の段階で記入された手書きストロークを全て表示させる。これにより、手書きストロークの移り変わりを容易に把握することができる。
【００１４】
上記の電子ペンシステムの他の一態様では、前記受信手段が受信する前記記入情報は、複数の記入者によって記入された手書きストロークに関する情報を含んでおり、前記表示制御手段は、前記複数の記入者の中で選択された記入者によって記入された手書きストローク、又は前記複数の記入者によって記入された全ての手書きストロークを表示させる。これにより、複数人の記入者によって記入されたストローク及びストロークについての分類を容易に把握することが可能となる。
【００１５】
上記の電子ペンシステムの他の一態様では、前記表示制御手段は、手書きストロークを表示するための表示エリアにおける一部のエリアにおいて、複数の手書きストロークが重なり合って表示される場合に、前記複数の手書きストロークが重なり合わないように、前記複数の手書きストロークの相対位置を維持した状態で、前記一部のエリアを拡張する処理を行う。これにより、複数の手書きストロークが重なり合わないように表示させることができるので、手書きストロークの視認性を確保することが可能となる。
【００１６】
上記の電子ペンシステムの他の一態様では、前記表示制御手段は、手書きストロークを表示するための表示エリアにおける一部のエリア内に位置する複数の手書きストロークを、選択された所定の順序によって並べて表示させる。これにより、選択された所望の順にて、手書きストロークを適切に並べて表示させることができる。
【発明の効果】
【００３６】
本発明によれば、電子ペンによって記入された手書きストロークを、当該手書きストロークの内容に応じた分類に従ったエリアに表示させる。これにより、手書きストロークとその分類とを容易に把握することが可能となる。
【図面の簡単な説明】
【００３７】
【図１】本実施形態に係る電子ペンシステムのシステム構成図である。
【図２】電子ペンシステムで利用される意見記入用紙を示す図である。
【図３】電子ペンシステムで利用される分類指定用紙を示す図である。
【図４】電子ペンシステムで利用されるカラーパレット用紙を示す図である。
【図５】ドットパターンにおけるドットの配置と変換される値との関係を示す説明図である。
【図６】（ａ）は、ドットパターンを模式的に示し、（ｂ）は、それに対応する情報の例を示す図である。
【図７】電子ペンの構造を示す概略図である。
【図８】集約装置の機能ブロック図を含む電子ペンシステムのシステム構成図である。
【図９】集約装置に記憶された、ユーザＩＤとユーザ名とペンＩＤとの関係を示す図である。
【図１０】集約装置に記憶された、ユーザエリアと線種ＩＤと色及び線幅との関係を示す図である。
【図１１】集約装置に記憶された、各ユーザエリアとドットパターンの座標範囲とを対応付けた座標定義情報を示す図である。
【図１２】集約装置における描画アプリケーションウィンドウの表示例である。
【図１３】表示意見選択リストにおけるプルダウンメニューを示す。
【図１４】意見が記入された状態にある意見記入用紙の具体例を示す。
【図１５】分類指定用紙による、意見の分類指定の具体例を示す。
【図１６】「はじめの考えを表示」が選択された場合の、描画アプリケーションウィンドウの選択ユーザ表示の一例を示す。
【図１７】「とちゅうの考えを表示」が選択された場合の、描画アプリケーションウィンドウの選択ユーザ表示の一例を示す。
【図１８】「おわりの考えを表示」が選択された場合の、描画アプリケーションウィンドウの選択ユーザ表示の一例を示す。
【図１９】「全体を表示」が選択された場合の、描画アプリケーションウィンドウの選択ユーザ表示の一例を示す。
【図２０】「はじめの考えを表示」が選択された場合の、描画アプリケーションウィンドウの比較一覧表示の一例を示す。
【図２１】変形例１に係る処理を説明するための図を示す。
【図２２】変形例２に係る処理を説明するための図を示す。
【図２３】変形例３に係る意見記入用紙を示す。
【図２４】変形例４に係る記入用紙について説明する。
【図２５】変形例５に係る表示画面例を示す。
【図２６】変形例５の他の例に係る意見記入用紙を示す。
【図２７】変形例５の更に他の例に係る意見記入用紙を示す。
【発明を実施するための形態】
【００３８】
以下、図面を参照しながら、本発明の実施の形態について説明する。
【００３９】
［電子ペンシステムのシステム構成］
図１は、本実施形態における電子ペンシステム１０のシステム構成図である。図１に示すように、電子ペンシステム１０は、複数の記入者（受講者）それぞれに配布される意見記入用紙５Ａ、５Ｂ、…（５）と、意見記入用紙５に意見（ストローク）を記入し、記入した情報を外部へＢｌｕｅｔｏｏｔｈ（登録商標）等の無線通信方式で送信するための電子ペン１Ａ、１Ｂ、…（１）と、各電子ペン１から送信される記入情報を受信してディスプレイ（表示手段）に記入内容等を表示する集約装置（コンピュータ装置）２とを備える。
【００４０】
なお、図１では、集約装置２は、電子ペン１Ａ〜１Ｃから直接、記入情報を受信しているが、記入される意見記入用紙５が多いために記入情報を送信する電子ペン１の本数が多い場合や、記入者が記入する会場が離れている等により無線通信の範囲外となるような場合は、他の電子ペン１Ｄ、１Ｅ、…から送信される記入情報を中継して集約装置２へ転送するための転送装置３を設ける。このとき、転送装置３から集約装置２へのデータの送信は、例えばＬＡＮ経由でＴＣＰ／ＩＰの通信方式で行うとよい。各電子ペン１には、アノトペンを利用することができ、集約装置２には、ラップトップパソコンなどを利用することができ、転送装置３には、ラップトップパソコンやデータ転送専用のコンピュータなどを利用することができる。プロジェクタ４は、集約装置２から表示情報を受信して、集約装置２の画面をスクリーン６へ投影表示する装置である。
【００４１】
また、本システム１０では、電子ペン１で意見記入用紙５に記入するにあたって、集約装置２での記入した筆跡を表示する色及び線幅を特定するためのカラーパレット用紙７が備えられている。更に、本システム１０では、記入者が、意見記入用紙５に記入した意見の内容に応じた分類を指定するための分類指定用紙８が備えられている。
【００４２】
なお、図１ではカラーパレット用紙７及び分類指定用紙８を１枚しか図示していないが、実際には、カラーパレット用紙７及び分類指定用紙８を複数枚用意する。カラーパレット用紙７及び分類指定用紙８は、各記入者に、若しくは複数の記入者から成る各グループに配布される。また、意見記入用紙５についても、各記入者に配布することに限定はされず、そのような複数の記入者から成る各グループに配布しても良い。
【００４３】
なお、意見記入用紙５は本発明における「第１用紙」に相当し、分類指定用紙８は本発明における「第２用紙」に相当し、意見記入用紙５及び分類指定用紙８は本発明における「シートセット」に相当する。
【００４４】
［意見記入用紙］
図２を参照して意見記入用紙５について説明する。図２に示すように、意見記入用紙５は、所定のテーマについて、「はじめの考え」、「とちゅうの考え」及び「おわりの考え」といった各段階ごとに意見を記入するための記入欄５０１Ａ〜５０１Ｆ（５０１）が設けられている。具体的には、記入欄５０１Ａ、５０１Ｂは「はじめの考え」を記入するために用いられ、記入欄５０１Ｃ、５０１Ｄは「とちゅうの考え」を記入するために用いられ、記入欄５０１Ｅ、５０１Ｆは「おわりの考え」を記入するために用いられる。また、記入欄５０１Ａ、５０１Ｃ、５０１Ｅは、所定のテーマに対する賛成の意見を記入するために用いられ、記入欄５０１Ｂ、５０１Ｄ、５０１Ｆは、所定のテーマに対する反対の意見を記入するために用いられる。
【００４５】
更に、記入欄５０１Ａ〜５０１Ｆには、それぞれで座標範囲の異なるユニークなドットパターン（コード化パターン）が印刷されている。加えて、意見記入用紙５には、記入欄５０１Ａ〜５０１Ｆごとに、それぞれで座標範囲の異なるユニークなドットパターンが印刷された分割指定エリア５０２Ａ〜５０２Ｆ（５０２）が設けられている。分割指定エリア５０２は、記入欄５０１に記入した意見の内容に応じた分類を指定するために利用される。分割指定エリア５０２の基本的な利用方法について説明すると、記入者は、記入欄５０１に記入した意見の分類を指定する際に、まず、意見を記入した記入欄５０１に対応する分割指定エリア５０２を電子ペン１でタップし、その後に、分類指定用紙８を用いて実際に分類を指定する（詳細は後述する）。こうしているのは、集約装置２側において、各段階で記入された意見（はじめの考え、とちゅうの考え及びおわりの考え）と、それぞれの意見について指定された分類とを的確に対応付けるためである。
【００４６】
なお、意見記入用紙５においては、ドットパターンは、赤外線を吸収するカーボンを含んだインキにより印刷され、枠や文字や矢印は、赤外域に吸収性を持たないインキにより印刷される。また、意見記入用紙５は、各記入者や各グループに配布するために複数枚用意するが、複数枚の意見記入用紙５に、互いにユニークなドットパターンを印刷しても良いし、電子ペン１が送信するペンＩＤによって記入者が識別できるため、各意見記入用紙５の同じ領域に対し同じドットパターンを印刷しても良い。なお、以下では、記入欄５０１のことを適宜「ユーザエリア５０１」と言い換え、分割指定エリア５０２のことを適宜「ユーザエリア５０２」と言い換える。
【００４７】
［分類指定用紙］
図３を参照して分類指定用紙８について説明する。図３は、分類指定用紙８の具体例を示している。分類指定用紙８は、所定のテーマに対する意見の理由（環境又はコスト）と、所定のテーマに対する賛否（賛成又は反対）との２つの基準によって、意見を分類するように構成されている。具体的には、分類指定用紙８は、所定のテーマに対する意見の理由が環境によるものなのか、それともコストによるものなのかを分類するための軸８０１Ｙと、所定のテーマに対する意見が賛成であるか、それとも反対であるかを分類するための軸８０１Ｘとが印刷されている。分類指定用紙８では、軸８０１Ｘ、８０１Ｙによって２次元座標系が規定されている。また、分類指定用紙８の２次元座標系が規定されたエリア８０１（以下、「ユーザエリア８０１」と呼ぶ。）には、意見記入用紙５とは異なる座標範囲のドットパターンが印刷されている。ユーザエリア８０１は、軸８０１Ｘ、８０１Ｙによって分割された、４つのユーザエリア８０１Ａ〜８０１Ｄを有する。
【００４８】
分類指定用紙８の基本的な利用方法について説明すると、記入者は、上記したようにして意見記入用紙５の分割指定エリア５０２に電子ペン１でタップした後に、分類指定用紙８のユーザエリア８０１内における、意見の内容に応じた位置を電子ペン１でタップすることで、記入欄５０１に記入した意見の内容に応じた分類を指定する。具体的には、記入者は、意見の理由が環境によるものであり、且つ意見が賛成である場合にはユーザエリア８０１Ａ内の位置をタップし、意見の理由が環境によるものであり、且つ意見が反対である場合にはユーザエリア８０１Ｂ内の位置をタップし、意見の理由がコストによるものであり、且つ意見が反対である場合にはユーザエリア８０１Ｃ内の位置をタップし、意見の理由がコストによるものであり、且つ意見が賛成である場合にはユーザエリア８０１Ｄ内の位置をタップする。この場合、記入者は、意見の理由が環境によるものである度合いや、意見の理由がコストによるものである度合いや、意見が賛成である度合いや、意見が反対である度合いなどに応じて、ユーザエリア８０１内の位置を電子ペン１でタップする。
【００４９】
なお、分類指定用紙８においては、ドットパターンは、赤外線を吸収するカーボンを含んだインキにより印刷され、枠や文字は、赤外域に吸収性を持たないインキにより印刷される。また、分類指定用紙８は、各記入者や各グループに配布するために複数枚用意されるが、複数枚の分類指定用紙８に、互いにユニークなドットパターンを印刷しても良いし、電子ペン１が送信するペンＩＤによって記入者が識別できるため、各分類指定用紙８の同じ領域に対し同じドットパターンを印刷しても良い。
【００５０】
［カラーパレット用紙］
図４を参照してカラーパレット用紙７について説明する。カラーパレット用紙７の略全面に、電子ペン１によって読取可能なドットパターンが印刷され、その上に、ユーザエリア７０１〜７０６が規定されている。ユーザエリア７０１〜７０６は、電子ペン１によるストローク情報（筆跡）を集約装置２の表示手段２６で表示する色及び線幅を選択するために用いられる。ユーザエリア７０１は、ストローク情報を集約装置２の表示手段２６に黒色で表示するためのユーザエリアであり、「くろ」と印刷されている。ユーザエリア７０２は、ストローク情報を集約装置２の表示手段２６に赤色で表示するためのユーザエリアであり、「あか」と印刷されている。ユーザエリア７０３は、ストローク情報を集約装置２の表示手段２６に青色で表示するためのユーザエリアであり、「あお」と印刷されている。
【００５１】
また、ユーザエリア７０４は、ストローク情報を集約装置２の表示手段２６に０．３ｍｍの線幅で表示するためのユーザエリアであり、「０．３ｍｍ」と印刷されている。ユーザエリア７０５は、ストローク情報を集約装置２の表示手段２６に０．５ｍｍの線幅で表示するためのユーザエリアであり、「０．５ｍｍ」と印刷されている。ユーザエリア７０６は、ストローク情報を集約装置２の表示手段２６に１．０ｍｍの線幅で表示するためのユーザエリアであり、「１．０ｍｍ」と印刷されている。カラーパレット用紙７に印刷されたドットパターンは、意見記入用紙５及び分類指定用紙８とは異なるドットパターンを有し、そのドットパターンは、赤外線を吸収するカーボンを含んだインキにより印刷されている。また、各ユーザエリア７０１〜７０６の枠や文字は、赤外域に吸収性を持たないインキにより印刷される。記入者等は、集約装置２の表示手段２６に表示させるストローク情報（筆跡）の色や線幅を設定する際に、電子ペン１のペン先部１０３で所望のユーザエリアにタップする。なお、カラーパレット用紙７は、各記入者や各グループに配布するために複数枚用意されるが、複数枚のカラーパレット用紙７に、互いにユニークなドットパターンを印刷しても良いし、電子ペン１が送信するペンＩＤによって記入者が識別できるため、カラーパレット用紙７の同じ領域に対し同じドットパターンを印刷しても良い。
【００５２】
［ドットパターン］
次に、図５と図６を参照しながら、意見記入用紙５、カラーパレット用紙７及び分類指定用紙８（以下では、これらを区別しないで用いる場合には、単に「用紙」と呼ぶ。）に印刷されたアノト方式のドットパターン（コード化パターン）について説明する。図５は、用紙に印刷されたドットパターンのドットと、そのドットが変換される値との関係を説明する図である。図５に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、用紙上の位置座標が決定されるように構成されている。
【００５３】
図６（ａ）は、あるドットパターンの配列を示している。図６（ａ）に示すように、縦横約２ｍｍの範囲内に６×６個のドットが、用紙上のどの部分から６×６ドットを取っても、ユニークなパターンとなるように配置されている。これら３６個のドットにより形成されるドットパターンは位置座標（例えば、そのドットパターンが用紙上のどの位置にあるのか）を保持している。図６（ｂ）は、図６（ａ）に示す各ドットを、格子の基準位置からのシフト方向によって、図５に示す規則性に基づいて、対応づけられた値に変換したものである。この変換は、ドットパターンの画像を撮影する電子ペン１によって行われる。
【００５４】
［電子ペン］
次に、電子ペン１について図７を用いて説明する。図７は、電子ペン１の構造を示す概略図である。図７に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端は、ペン先部１０３となっており、各記入者は、電子ペン１のペン先部１０３を、カラーパレット用紙７や分類指定用紙８にタップしたり、意見記入用紙５に当接させてストローク（手書きストローク）を記入したりする。なお、本明細書では、電子ペン１によるタップについても「記入」といった表現を用いる場合がある。インクカートリッジ１０４のインクは、赤外線を吸収する材料（例えばカーボン）を含まないようにする。ここで、電子ペン１のペン先部１０３が用紙に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。インクカートリッジ１０４のインクは、赤外線を吸収する材料を含まないので、プロセッサ１０３によるドットパターンの読取りを阻害しない。
【００５５】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、記入者が電子ペン１により意見記入用紙５に文字やマークを書いたり、カラーパレット用紙７や分類指定用紙８にタップしたりする際にペン先部１０３からインクカートリッジ１０４を通じて与えられる圧力、即ち筆圧を検出し、その値をプロセッサ１０８へ伝送する。
【００５６】
プロセッサ１０８は、圧力センサ１０７から与えられる筆圧データに基づいて、ＬＥＤ１０５及びＣＭＯＳカメラ１０６のスイッチのオン／オフを切り替える。即ち、記入者が電子ペン１で意見記入用紙５に文字などを書くと、ペン先部１０３に筆圧がかかり、圧力センサ１０７によって所定値以上の筆圧が検出されたときに、プロセッサ１０８は、記入者が記入を開始したと判定して、ＬＥＤ１０５及びＣＭＯＳカメラ１０６を作動させる。そして、記入者が１つのストロークを記入し終えて電子ペン１を意見記入用紙５から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として集約装置２へ送信する。
【００５７】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、用紙上のペン先部１０３近傍に向けて赤外線を照明する。その領域は、ペン先部１０３が用紙に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、カーボンを含むドットの領域とそれ以外の領域を区別することができる。したがって、意見記入用紙５に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図６（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００５８】
プロセッサ１０８は、記入者による記入が行われる間、ＣＭＯＳカメラ１０６によって供給される画像データのドットパターンから、記入者が記入するストローク（筆跡）の用紙上におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図６（ａ）に示されるようなドットパターンの画像データを図６（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、用紙における６×６のドットパターンは、用紙内で重複することはないため、記入者が電子ペン１で文字等を記入すると、記入された位置が用紙上のどの位置に当たるかを、プロセッサ１０８による座標演算により特定することができる。
【００５９】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として集約装置２へ送信する。通信ユニット１１１による集約装置２への送信は、Ｂｌｕｅｔｏｏｔｈ（登録商標）などの無線送信によって、即時的かつ逐次的に行われる。ここで、電子ペン１のペンダウンからペンアップまでの間に生成されて集約装置２に送信された１個又は複数個の座標属性情報は、集約装置２によりストローク情報として記憶される。換言すると、１つのストロークは、１個又は複数個のＸ、Ｙ座標（座標点）からなり、集約装置２は、ペンダウン情報及びペンアップ情報によって、１つのストロークを構成する１個又は複数個の座標属性情報を認識する。
【００６０】
このように、各電子ペン１Ａ〜１Ｅは、記入者が用紙に記入する都度、記入情報を生成して、集約装置２へ送信する。言い換えると、各電子ペン１Ａ〜１Ｅは、記入者が用紙に記入し続けている間、記入情報を生成し、集約装置２へ送信し続ける。そして、記入者が電子ペン１を用紙から離す（ペンアップする）と、当該電子ペン１は、圧力センサ１０７で所定値以上の筆圧が検出されなくなったことにより、記入者が記入を停止したと判定する。そして、この場合、ペンアップされた電子ペン１は、ＬＥＤ１０５とＣＭＯＳカメラ１０６を停止して、集約装置２への記入情報の送信を中止する。
【００６１】
［転送装置］
図８を参照して転送装置３について説明する。図８に、転送装置３の機能ブロック図と集約装置２の機能ブロック図とを含む電子ペンシステム１０のシステム構成図を示す。
【００６２】
図８に示すように、転送装置３は、転送受信手段３１と転送送信手段３２とを備える。転送受信手段３１は、電子ペン１からＢｌｕｅｔｏｏｔｈ（登録商標）の無線通信方式で送信される記入情報等のデータを受信する手段である。転送送信手段３２は、転送受信手段３１によって受信した記入情報等のデータを集約装置２に送信する手段である。転送送信手段３２による集約装置２へのデータの送信は、例えばＬＡＮ経由でＴＣＰ／ＩＰの通信方式により行うと良い。
【００６３】
［集約装置］
続いて、集約装置２について説明する。図８に示すように、集約装置２は、範囲指定手段２０、入力手段２１、集約個別受信手段（受信手段）２２、集約転送受信手段（受信手段）２３、集約処理手段（処理手段）２４、記憶手段２５、表示手段２６、及び送信手段２７を備える。集約装置２は、ハードウェアとして、電子ペン１やプロジェクタ４とのデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータ等である。また、集約装置２は、集約処理手段２４による描画アプリケーション（プログラム）の実行により、電子ペン１から受信した記入情報を処理して、表示手段２６に記入内容を再現する。
【００６４】
集約個別受信手段２２は、電子ペン１から送信された記入情報等のデータを受信する手段である。集約転送受信手段２３は、転送装置３から転送された記入情報等のデータを受信する手段である。集約個別受信手段２２及び集約転送受信手段２３は、アンテナや受信回路等により構成される。
【００６５】
範囲指定手段２０は、マウス等のポインティング・デバイスとその操作を検知する手段によって構成され、マウスによって、表示手段２６の画面におけるボタンのクリック操作や任意の位置・大きさの長方形状の画面範囲を指定するドラッグ操作が可能である。入力手段２１は、処理や表示の種別を含む処理態様を指示する手段であり、キーボードやマウスとその操作を検知する手段によって構成される。このように、マウスは、その操作によって範囲指定手段２０と入力手段２１とを兼ねる。送信手段２７は、表示手段２６に表示される内容と同じ内容をプロジェクタ４からスクリーン６へ投影表示させるため、表示手段２６への表示信号を同期してプロジェクタ４へ送信する手段である。
【００６６】
記憶手段２５は、ＲＯＭやＲＡＭ、ハードディスクなどのメモリによって構成され、意見記入用紙５における各ユーザエリアと位置座標とを関連付けて記憶する。また、図９に示すように、記憶手段２５は、電子ペン１が保持する固有のペンＩＤに対して、ユーザＩＤとユーザ名とをユーザ定義情報として関連付けて記憶する。図９において、例えば、ペンＩＤ「ｐｅｎ０１」には、ユーザＩＤ「Ｕ０１」とユーザ名「太郎」とが予め関連付けられて記憶されている。さらに、記憶手段２５は、各電子ペン１によって送信されてきた記入情報を、ペンＩＤごとに記憶する。
【００６７】
また、記憶手段２５は、カラーパレット用紙７における各ユーザエリア７０１〜７０６と色及び線幅と線種ＩＤとを関連付けて、カラーパレット定義情報として記憶する。すなわち、図１０に示すように、記憶手段２５は、ユーザエリア７０１〜７０６ごとに、ストローク情報（筆跡）を集約装置２の表示手段２６で表示する色及び線幅と線種ＩＤとを記憶している。ここで、ユーザエリア７０１〜７０３には、ストローク情報を集約装置２の表示手段２６に表示する色として、それぞれ、「くろ」、「あか」、「あお」とその線種ＩＤ「Ｌ７１」、「Ｌ７２」、「Ｌ７３」が関連付けられ、ユーザエリア７０４〜７０６には、ストローク情報を集約装置２の表示手段２６に表示する線幅として、「０．３ｍｍ」、「０．７ｍｍ」、「１．０ｍｍ」とその線種ＩＤ「Ｌ７４」、「Ｌ７５」、「Ｌ７６」が関連付けられている。各ユーザエリア７０１〜７０６に関連付けられている色及び線幅は、カラーパレット７の各ユーザエリア７０１〜７０６に印刷されている文字や線の色及び線幅と対応するので、記入者が使いたい色及び線幅を選び易くなりカラーパレット７の使い勝手がよい。
【００６８】
更に、記憶手段２５は、図１１に示すように、意見記入用紙５に形成されたユーザエリア５０１Ａ〜５０１Ｆ（記入欄５０１）及びユーザエリア５０２Ａ〜５０２Ｆ（分割指定エリア５０２）、並びに分類指定用紙８に形成されたユーザエリア８０１と、それぞれに印刷されたドットパターンの座標範囲とを対応付けた座標定義情報を記憶している。ドットパターンの座標範囲は、矩形の角の位置座標（Ｘｎ，Ｙｎ）、高さ（Ｈ）、幅（Ｗ）によって規定される。なお、分類指定用紙８のユーザエリア８０１が有する４つのユーザエリア８０１Ａ〜８０１Ｄと、それぞれに印刷されたドットパターンの座標範囲とを対応付けた座標定義情報を用いても良い。こうすることで、電子ペン１で分類指定用紙８にタップされた場合に、ユーザエリア８０１Ａ〜８０１Ｄのいずれのエリアにタップされたのかを即座に特定することができる。
【００６９】
記憶手段２５には、記入情報およびユーザ定義情報に基づいて、集約処理手段２４による描画アプリケーション（プログラム）の実行により、ファイル形式でデータ（ファイルデータ）が保存される。具体的には、ファイルデータは、作成日時情報や、ユーザＩＤや、電子ペン１から送信された記入情報の位置座標情報等を含むユーザストローク情報や、記入内容等に応じてカテゴライズのために操作者によって設定されるユーザ色（分類）情報などが含まれる。ユーザＩＤは、集約処理手段２４により、記入情報に含まれるペンＩＤに基づいて、記憶手段２５に予め記憶されたユーザ定義情報を参照することで特定され、当該記入情報に基づくユーザストローク情報と対応付けられる。ユーザストローク情報は、電子ペン１が演算した位置座標（ＸＹ座標）情報、記入された時の時刻情報、及び筆圧情報が含まれる。また、電子ペン１でタップされた分類指定用紙８のユーザエリア８０１内の位置（つまりユーザが分類指定用紙８で指定した分類に対応する位置）は、ストロークに関連付けてユーザストローク情報として記憶される。ファイルデータを読み込む際には、操作者が、入力手段２１によって、ユーザＩＤやユーザ色情報などを所定の入力エリアに入力することで、集約処理手段２４によって特定のデータを検索させ、ユーザストローク情報を表示手段２６に再現させることができる。
【００７０】
集約処理手段２４は、電子ペン１からのデータを集約して処理する手段であり、アプリケーションプログラムの実行により機能を発揮するＣＰＵ等のプロセッサによって構成されている。この集約処理手段２４は、電子ペン１から位置座標及びペンＩＤ等を含む記入情報を受信すると、ペンＩＤごとに記入情報を記憶手段２５に記憶させる。具体的には、集約処理手段２４は、電子ペン１によって意見記入用紙５の記入欄５０１に記入された場合に、記入欄５０１Ａ〜５０１Ｆのうちの当該記入がなされたエリアに対応付けて、電子ペン１から受信された記入情報を記憶手段２５に記憶させる。また、集約処理手段２４は、電子ペン１によって分類指定用紙８のユーザエリア８０１に記入された位置を、このような記入欄５０１への記入に対応する記入情報に対応付けて記憶手段２５に記憶させる。具体的には、集約処理手段２４は、意見記入用紙５の分割指定エリア５０２に記入された後に分類指定用紙８のユーザエリア８０１に記入された場合に、分類指定用紙８のユーザエリア８０１に記入された位置を、分割指定エリア５０２Ａ〜５０２Ｆのうちの記入がなされたエリアに対応する記入欄５０１に記入された記入情報に対応付けて記憶させる。なお、集約処理手段２４は、記憶手段２５に記憶された座標定義情報（図１１参照）に基づいて、電子ペン１によってユーザエリア５０１Ａ〜５０１Ｆ（記入欄５０１）、５０２Ａ〜５０２Ｆ（分割指定エリア５０２）、８０１のいずれに記入されたかを特定する。
【００７１】
集約処理手段２４は、ペンＩＤごとに関連付けられた記入情報をストローク（筆跡）として再現して表示手段２６に表示させるなどの様々な処理を行う。また、集約処理手段２４は、意見記入用紙５についての記入情報を含むファイルデータに基づいて、表示手段２６に記入内容を表示させるとともに電子ペンＩＤに対応するユーザＩＤに対応するユーザ名を表示させる。表示手段２６に電子ペン１による記入内容とユーザ名とが表示されるため、操作者は、記入者（受講者）とその者による記入内容とを合わせて認識することができる。また、集約処理手段２４は、表示手段２６と同じ内容を同期させて、プロジェクタ４からスクリーン６へ投影表示させるため、表示手段２６に対する表示信号と同じ信号を送信手段２７に対してプロジェクタ４へ向けて送信させる。すると、各記入者も、プロジェクタ４からスクリーン６へ投影表示された記入内容とその記入者とを合わせて認識することができる。なお、詳細は後述するが、集約処理手段２４は、本発明における「表示制御手段」の一例に相当する。
【００７２】
［描画アプリケーションによる画面表示］
次に、描画アプリケーションの実行による集約処理手段２４の表示手段２６への表示処理について説明する。図１２は、表示手段２６の表示画面に表示された描画アプリケーションに基づくウィンドウ（「描画アプリケーションウィンドウ」とも呼ぶ。）の一例を示す。
【００７３】
図１２に示すように、電子ペン１で意見記入用紙５に記入された際に生成された記入情報に基づいて、集約装置２で記憶手段２５にファイルデータとして記憶したユーザストローク情報（ストローク）は、集約処理手段２４によって、表示手段２６のユーザストローク情報表示エリア５０に描画される。ユーザストローク情報表示エリア５０には、分類指定用紙８（図３参照）と同様の２次元座標系が表示される。具体的には、ユーザストローク情報表示エリア５０には、所定のテーマに対する意見の理由が環境によるものなのか、それともコストによるものなのかについての分類を示すための軸５０Ｙと、所定のテーマに対する意見が賛成であるか、それとも反対であるかについての分類を示すための軸５０Ｘとによって規定された２次元座標系が表示される。なお、軸５０Ｘ、５０Ｙに付与する設定（つまり軸５０Ｘ、５０Ｙに付与する分類の表現）は、種々に変更することができる。例えば、集約装置２の操作者が、入力手段２１を操作することで、軸５０Ｘ、５０Ｙに付与する文字を入力することができる。
【００７４】
描画するユーザストローク情報が、拡大表示などでユーザストローク情報表示エリア５０よりも大きい場合、集約処理手段２４は、横スクロールバー５１及び縦スクロールバー５２を有効とし、操作者のマウス操作によってユーザストローク情報表示エリア５０をスクロールして、ユーザストローク情報全体を複数回に分けて表示できるようにする。
【００７５】
また、集約処理手段２４は、描画アプリケーションウィンドウ上部に、機能ボタンとして、選択ユーザ表示ボタン５３、比較一覧表示ボタン５４、再生表示ボタン５６、選択画像出力ボタン５７、表示意見選択リスト５８、縮小表示ボタン５９、拡大表示ボタン６０、ページ送りボタン６１，６２、回転表示ボタン６３、６４、及びユーザコントロール表示ボタン６５などを表示し、マウスによる機能ボタンの選択により、それぞれの処理を実行する。
【００７６】
選択ユーザ表示ボタン５３は、後述するユーザ選択リスト６９から選択したユーザ名に対応するユーザストローク情報のみを表示するためのボタンである。以後、選択ユーザ表示ボタン５３が選択された際の描画アプリケーションウィンドウの表示を「選択ユーザ表示」と呼ぶ。比較一覧表示ボタン５４は、複数のユーザ名に対応するユーザストローク情報を同時に一覧表示するためのボタンである。以後、比較一覧表示ボタン５４が選択された際の描画アプリケーションウィンドウの表示を「比較一覧表示」と呼ぶ。再生表示ボタン５６は、ユーザストローク情報を１ストロークずつ再生表示するためのボタンである。選択画像出力ボタン５７は、任意選択範囲がある場合にその範囲内のユーザストローク情報を、画像データとして出力するためのボタンである。
【００７７】
表示意見選択リスト５８は、図１３に示すように、プルダウンメニューとして、「はじめの考え」について記入された意見のみを表示させるための表示メニュー５８Ａと、「とちゅうの考え」について記入された意見のみを表示させるための表示メニュー５８Ｂと、「おわりの考え」について記入された意見のみを表示させるための表示メニュー５８Ｃと、「はじめの考え」、「とちゅうの考え」及び「おわりの考え」について記入された意見を全て表示させるための表示メニュー５８Ｄとを有する。操作者は、マウスを用いて、表示メニュー５８Ａ〜５８Ｄのいずれかを選択することで、各段階ごとに意見を表示させたり、全ての段階での意見を表示させたりすることができる。
【００７８】
図１２に戻って説明する。縮小表示ボタン５９は、ユーザストローク情報表示エリア５０に描画するユーザストローク情報の表示サイズを、現在設定されている表示サイズから所定の割合で縮小する機能である。拡大表示ボタン６０は、ユーザストローク情報表示エリア５０に描画するユーザストローク情報の表示サイズを、現在設定されている表示サイズから所定の割合で拡大する機能である。ページ送りボタン６１，６２は、意見記入用紙５のセットが複数枚に及ぶ場合に、異なるページアドレス（用紙ドットパターン）の意見記入用紙５を表示するためのボタンである。回転表示ボタン６３，６４は、ユーザストローク情報表示エリア５０に描画するユーザストローク情報を９０度ずつ回転させるためのボタンである。このような機能を設けることで、表示上の用紙向きを簡単に変更できる。ユーザコントロール表示ボタン６５は、ユーザコントロールリスト６８の表示・非表示を切り替える機能である。非表示にすることで、ユーザストローク情報表示エリア５０を拡大できる。
【００７９】
ユーザコントロールリスト６８には、ユーザ選択リスト６９、色分類ボタン７１〜７６、名簿順ソートボタン７８、色順ソートボタン７９、分類グラフ表示ボタン８１、リロードボタン８２などが表示される。
【００８０】
ユーザ選択リスト６９は、ユーザストローク情報表示エリア５０に表示するユーザストローク情報を、ユーザ名で選択するためのリストである。ユーザ選択リスト６９は、ユーザ色（分類）情報表示欄６９１と、ユーザ名表示欄６９２と、色・幅表示欄６９３とを備える。集約処理手段２４は、電子ペン１から取得してファイルデータとして記憶手段２５に記憶したユーザストローク情報ごとに関連付けられているユーザＩＤに対応するユーザ名をユーザ名表示欄６９２に表示し、色分類ボタン７１〜７６によって選択されたユーザ色（分類）情報をユーザ色（分類）情報表示欄６９１に表示し、各記入者がカラーパレット用紙７で選択したストロークの色及び線幅を色・幅表示欄６９３に表示する。ユーザ選択リスト６９のユーザ名表示欄６９２には、集約処理手段２４により、記憶手段２５に記憶したファイルデータのユーザＩＤに対応するユーザ名が表示される。そして、操作者がマウスによって、ユーザ選択リスト６９から所望のユーザを選択したうえで選択ユーザ表示ボタン５３をクリックすると、集約処理手段２４は、ユーザストローク情報表示エリア５０に、選択された記入者のストローク情報を表示させる。
【００８１】
色分類ボタン７１〜７６は、ユーザ選択リスト６９に表示されている記入者ごとにユーザ色（分類）情報を設定するためのボタンである。ボタン７１は赤色に、ボタン７２は青色に、ボタン７３は黄色に、ボタン７４は緑色に、ボタン７５は茶色に、ボタン７６は白色にユーザ色（分類）情報を設定するためのボタンである。集約装置２の操作者は、マウスによって、ユーザ選択リスト６９内の特定のユーザ名を選択し、色分類ボタン７１〜７６のうち所望のボタンを選択すると、集約処理手段２４は、ユーザ選択リスト６９内の選択されたユーザ名のユーザ色（分類）情報表示欄６９１を指定された色で表示する。この機能により、操作者が、ユーザストローク情報表示エリア５０に表示される記入者の意見の内容を見て、その考え方などをカテゴリー分けして色をつけ、見易くすることができる。なお、ユーザ色（分類）情報は、未設定時は、白色に設定しておくとよい。
【００８２】
名簿順ソートボタン７８は、ユーザ選択リスト６９に表示されているユーザ一覧を、名簿番号順に並べ替えるためのボタンである。本実施形態では、図９に示すユーザＩＤ順を名簿番号順としている。色順ソートボタン７９は、ユーザ選択リスト６９に表示されているユーザ一覧を、色分類ボタン７１〜７６の操作によって付されたユーザ色（分類）情報が同じ記入者同士を連続して配列されるように、ユーザ色（分類）情報順に並べ替えるためのボタンである。分類グラフ表示ボタン８１は、色分類ボタン７１〜７６の操作によって付されたユーザ色情報別のユーザ数を、ユーザストローク情報表示エリア５０に棒グラフ等で表示するためのボタンである。
【００８３】
リロードボタン８２は、ユーザ選択リスト６９において選択されている記入者のユーザストローク情報を、ファイルデータ保存時の状態まで戻すためのボタンである。この機能により、操作者が、リロードボタン８２をマウスで選択すると、集約処理手段２４は、選択されている記入者に関連付けられているユーザＩＤに基づいて、前回のファイル保存以降に電子ペン１より受信して記憶手段２５のユーザＩＤ別の格納領域に記憶したユーザストローク情報をクリアして、前回ファイル保存した時点までのユーザストローク情報を読み出し、ユーザストローク情報表示エリア５０に表示する。この機能により、個々の記入者が意見の記入をやり直したい場合などに対応できる。
【００８４】
また、ファイルデータの保存やアプリケーションの設定などは、一般的なアプリケーションと同様に、機能メニューとして用意しておくと良い。ファイルメニュー９０のプルダウンメニューとして、ファイルデータの読み込み・保存を実行するメニュー、画像形式で保存するメニュー、アプリケーションの終了を実行するメニューなど、アプリケーションの全般的な管理に関する実行機能を一覧で用意しておくと便利である。
【００８５】
また、ファイルデータの保存に関するファイル形式を、ユーザ別のユーザストローク情報と設定情報を関連付けた構造としているので、ファイルデータを読み込む際、ユーザＩＤやユーザ色情報などから特定のデータを検索し、検索されたユーザストローク情報をユーザストローク情報表示エリア５０に表示することができる。
【００８６】
表示メニュー９１のプルダウンメニューとして、ウィンドウ枠を隠しアプリケーションの表示領域を最大限拡大する全画面表示メニューなど、アプリケーションの表示に関する実行機能を一覧で用意しておくと便利である。またツールメニュー９２のプルダウンメニューとして、電子ペン１の接続経由状況（例えば転送装置３のＩＰアドレスなど）を表示するペン管理メニュー、ユーザストローク情報を表示する背景となる意見記入用紙５の画像を設定する用紙管理メニュー、アプリケーションのバージョンやプロパティ情報などを表示するメニューなど、アプリケーションの設定に関する実行機能を一覧で意しておくと便利である。これらのボタンやメニューが選択されると、集約処理手段２４により各機能が実行される。
【００８７】
［選択ユーザ表示機能］
次に、選択ユーザ表示ボタン５３が選択された場合の選択ユーザ表示機能について説明する。
【００８８】
ここでは、図１４に示すように意見記入用紙５に意見が記入されると共に、図１５に示すように分類指定用紙８にて意見に関する分類が指定された場合を例に挙げて、選択ユーザ表示機能について説明する。この例では、図１４に示すように、記入者は、「はじめの考え」について、賛成に対応する記入欄５０１Ａに意見を記入し、「とちゅうの考え」について、反対に対応する記入欄５０１Ｄに意見を記入し、「おわりの考え」について、賛成に対応する記入欄５０１Ｅに意見を記入したものとする。そして、図１５に示すように、記入者は、「はじめの考え」について、分類指定用紙８のユーザエリア８０１Ａ内の位置Ｐ１を電子ペン１でタップし、「とちゅうの考え」について、ユーザエリア８０１Ｃ内の位置Ｐ２を電子ペン１でタップし、「おわりの考え」について、ユーザエリア８０１Ａ内の位置Ｐ３を電子ペン１でタップしたものとする。なお、上記したように、記入者は、意見記入用紙５の記入欄５０１に意見を記入し、意見を記入した記入欄５０１に対応する分割指定エリア５０２を電子ペン１でタップした後に、分類指定用紙８で、その意見の内容に応じた分類を指定する。
【００８９】
以下で、図１６乃至図１９を参照して、選択ユーザ表示ボタン５３が選択された場合に表示される描画アプリケーションウィンドウの選択ユーザ表示の具体例を示す。
【００９０】
図１６は、描画アプリケーションウィンドウの選択ユーザ表示の一例を示す。図１６は、表示意見選択リスト５８の「はじめの考えを表示」に対応する表示メニュー５８Ａが選択された場合の表示画面例を示す。
【００９１】
図１６に示すように、集約処理手段２４は、選択ユーザ表示ボタン５３が選択された場合に、ユーザストローク情報表示エリア５０に、ユーザ選択リスト６９を用いて操作者によって選択された記入者（図１６に示す例では「太郎」）のユーザストローク情報を表示させる。この場合、集約処理手段２４は、記入者「太郎」によって電子ペン１で「はじめの考え」として記入されたストロークを表示させる。具体的には、集約処理手段２４は、電子ペン１でタップされた分類指定用紙８のユーザエリア８０１Ａ内の位置Ｐ１（図１５参照）に対応する位置に、「はじめの考え」に対応する記入欄５０１Ａに電子ペン１で記入されたストローク（図１４参照）を含むストローク画像２００Ａ１を表示させる。詳しくは、集約処理手段２４は、ストローク画像２００Ａ１の中心が、ユーザエリア８０１Ａ内の位置Ｐ１に対応するユーザストローク情報表示エリア５０上の位置に一致するように、ストローク画像２００Ａ１を表示させる。なお、このようなストローク画像２００Ａ１を、記入欄５０１のサイズなどに基づいて定められた固定のサイズにて表示させても良いし、記入欄５０１に記入されたストロークが少なくとも含まれるような範囲のサイズにて表示させても良い。後者の場合には、集約処理手段２４は、記入欄５０１に記入されたストロークが少なくとも含まれるような範囲を切り出して、その切り出した範囲のみをストローク画像２００Ａ１として表示させる。
【００９２】
また、集約処理手段２４は、カラーパレット用紙７を用いて記入者によって選択された色・線幅によって、若しくは色・線幅が選択されていない場合にはデフォルトの色・線幅によって、各記入者によって電子ペン１で意見記入用紙５に記入されたストロークを表示させる。更に、集約処理手段２４は、操作者によって選択された記入者（つまりストロークを表示している記入者）に対応するユーザ選択リスト６９の箇所を強調表示させる。具体的には、集約処理手段２４は、操作者によって選択された記入者に対応するユーザ選択リスト６９の番号（図１６に示す例では「１」）を、符号９９で示すように、赤色などの枠で囲むと共に所定の色で塗りつぶして表示させる。
【００９３】
また、図１６に示すように、各記入者の色・幅表示欄６９３に、現在設定されているストロークの色及び線幅が表示されている。具体的には、記入者「太郎」は、色が青で線幅が１ｍｍであることを示す線分が表示され、記入者「次郎」は、色が赤で線幅が０．７ｍｍであることを示す線分が表示され、記入者「三郎」は、色が青で線幅が０．７ｍｍであることを示す線分が表示され、記入者「四郎」は、色が黒で線幅が０．７ｍｍであることを示す線分が表示され、記入者「五郎」は、色が黒で線幅が０．３ｍｍであることを示す線分が表示されている。更に、図１６に示すように、各記入者のユーザ色（分類）情報表示欄６９１に、色が付されて表示されている。具体的には、記入者「太郎」は黄色が付され、記入者「次郎」は黄色が付され、記入者「三郎」は青色が付され、記入者「四郎」は赤色が付され、記入者「五郎」は黄色が付されている。操作者は、記入者の意見の考え方をカテゴリー分けして、それぞれに色を割り当て、各記入者ごとに色分類ボタン７１〜７６のうちの所望のボタンを選択する。そして、集約処理手段２４は、各記入者のユーザ色（分類）情報表示欄６９１を、操作者によって指定された色で表示させる。
【００９４】
なお、図１６に示す例ではストローク画像２００Ａ１が軸５０Ｘに重なって表示されているが、このような場合に、軸５０Ｘに重ならない位置にストローク画像２００Ａ１を表示させても良い。具体的には、集約処理手段２４は、図１５に示したように電子ペン１で分類指定用紙８にタップされた位置Ｐ１がユーザエリア８０１Ａ内に位置するため（つまり環境側に位置するため）、ストローク画像２００Ａ１の全体が環境側のエリアに位置するように、ストローク画像２００Ａ１を移動させて表示させることができる。こうすることで、操作者は、ストローク画像２００Ａ１に基づいて、記入者が指定した分類を容易に把握することができる。
【００９５】
なお、集約処理手段２４は、操作者のマウス操作によってストローク画像２００Ａ１がクリック又はダブルクリックされた場合に、ストローク画像２００Ａ１を拡大表示させることができる。また、集約処理手段２４は、操作者のマウス操作でストローク画像２００Ａ１がドラッグされた場合に、ストローク画像２００Ａ１を移動させることができる。これにより、操作者による操作によって、ストローク画像２００Ａ１を所望の位置に表示させることができる。例えば、記入者が指定した分類が誤っているような場合に、正しい分類に応じた位置にストローク画像２００Ａ１を表示させることができる。なお、スクリーン６の表面にドットパターンを形成した場合には、操作者は、電子ペンを用いて、ストローク画像２００Ａ１を拡大表示させるための操作や、ストローク画像２００Ａ１を移動させるための操作を行うことができる。
【００９６】
図１７は、描画アプリケーションウィンドウの選択ユーザ表示の他の例を示す。図１７は、表示意見選択リスト５８の「とちゅうの考えを表示」に対応する表示メニュー５８Ｂが選択された場合の表示画面例を示す。図１７でも、図１６と同様に、ユーザ選択リスト６９によって「太郎」が選択されたものとする。なお、図１６で説明した機能や処理と同様のものについては、その説明を省略する。
【００９７】
図１７に示すように、集約処理手段２４は、記入者「太郎」によって電子ペン１で「とちゅうの考え」として記入されたストロークを表示させる。具体的には、集約処理手段２４は、電子ペン１でタップされた分類指定用紙８のユーザエリア８０１Ｃ内の位置Ｐ２（図１５参照）に対応する位置に、「とちゅうの考え」に対応する記入欄５０１Ｄに電子ペン１で記入されたストローク（図１４参照）を含むストローク画像２００Ａ２を表示させる。詳しくは、集約処理手段２４は、ストローク画像２００Ａ２の中心が、ユーザエリア８０１Ｃ内の位置Ｐ２に対応するユーザストローク情報表示エリア５０上の位置に一致するように、ストローク画像２００Ａ２を表示させる。
【００９８】
図１８は、描画アプリケーションウィンドウの選択ユーザ表示の他の例を示す。図１８は、表示意見選択リスト５８の「おわりの考えを表示」に対応する表示メニュー５８Ｃが選択された場合の表示画面例を示す。図１８でも、図１６と同様に、ユーザ選択リスト６９によって「太郎」が選択されたものとする。なお、図１６で説明した機能や処理と同様のものについては、その説明を省略する。
【００９９】
図１８に示すように、集約処理手段２４は、記入者「太郎」によって電子ペン１で「おわりの考え」として記入されたストロークを表示させる。具体的には、集約処理手段２４は、電子ペン１でタップされた分類指定用紙８のユーザエリア８０１Ａ内の位置Ｐ３（図１５参照）に対応する位置に、「おわりの考え」に対応する記入欄５０１Ｅに電子ペン１で記入されたストローク（図１４参照）を含むストローク画像２００Ａ３を表示させる。詳しくは、集約処理手段２４は、ストローク画像２００Ａ３の中心が、ユーザエリア８０１Ａ内の位置Ｐ３に対応するユーザストローク情報表示エリア５０上の位置に一致するように、ストローク画像２００Ａ３を表示させる。
【０１００】
図１９は、描画アプリケーションウィンドウの選択ユーザ表示の他の例を示す。図１９は、表示意見選択リスト５８の「全体を表示」に対応する表示メニュー５８Ｄが選択された場合の表示画面例を示す。図１９でも、図１６と同様に、ユーザ選択リスト６９によって「太郎」が選択されたものとする。なお、図１６で説明した機能や処理と同様のものについては、その説明を省略する。
【０１０１】
図１９に示すように、集約処理手段２４は、記入者「太郎」によって電子ペン１で記入された、「はじめの考え」、「とちゅうの考え」及び「おわりの考え」に対応するストロークを全て表示させる。具体的には、集約処理手段２４は、（i）分類指定用紙８のユーザエリア８０１Ａ内の位置Ｐ１に対応する位置に、記入欄５０１Ａに記入されたストロークを含むストローク画像２００Ａ１を表示させ、（ii）分類指定用紙８のユーザエリア８０１Ｃ内の位置Ｐ２に対応する位置に、記入欄５０１Ｄに記入されたストロークを含むストローク画像２００Ａ２を表示させ、（iii）分類指定用紙８のユーザエリア８０１Ａ内の位置Ｐ３に対応する位置に、記入欄５０１Ｅに記入されたストロークを含むストローク画像２００Ａ３を表示させる。また、集約処理手段２４は、ストローク画像２００Ａ１からストローク画像２００Ａ２へ向かう矢印３０１を表示させると共に、ストローク画像２００Ａ２からストローク画像２００Ａ３へ向かう矢印３０２を表示させる。このような矢印３０１、３０２を表示させることで、操作者は、記入者の意見の移り変わりを容易に把握することができる。
【０１０２】
なお、上記では、一人の記入者のみのストローク画像を表示させる選択ユーザ表示の例を示したが、複数人の記入者のストローク画像を表示させることも可能である。この場合、操作者は、ユーザ選択リスト６９を用いて複数人の記入者を選択すれば良い。そして、集約処理手段２４は、複数人の記入者が選択された場合に、当該複数人の記入者のストローク画像を表示させると共に、当該複数の記入者に対応するユーザ選択リスト６９の箇所（番号など）を強調表示させることができる。
【０１０３】
［比較一覧表示機能］
次に、図２０を参照して、比較一覧表示ボタン５４が選択された場合の比較一覧表示機能について説明する。
【０１０４】
図２０は、描画アプリケーションウィンドウの比較一覧表示の一例を示す。図２０は、表示意見選択リスト５８の「はじめの考えを表示」に対応する表示メニュー５８Ａが選択された場合の表示画面例を示す。なお、図１６で説明した機能や処理と同様のものについては、その説明を省略する。
【０１０５】
図２０に示すように、集約処理手段２４は、操作者によって比較一覧表示ボタン５４が選択された場合に、ユーザストローク情報表示エリア５０に、各記入者のユーザストローク情報を同時に表示させる。この場合、集約処理手段２４は、各記入者によって電子ペン１で「はじめの考え」として記入されたストロークを表示させる。具体的には、集約処理手段２４は、各記入者によって電子ペン１で記入欄５０１Ａ又は記入欄５０１Ｂに記入されたストロークを含むストローク画像２００Ａ１〜２００Ｅ１を、それぞれ、各記入者によって電子ペン１でタップされた分類指定用紙８のユーザエリア８０１内の位置に対応する位置に表示させる。
【０１０６】
また、集約処理手段２４は、比較一覧表示においては、全ての記入者に対応するユーザ選択リスト６９の箇所を強調表示させる。具体的には、集約処理手段２４は、全ての記入者に対応するユーザ選択リスト６９の番号（図２０に示す例では「１」〜「５」）を、符号９９Ａで示すように、赤色などの枠で囲むと共に所定の色で塗りつぶして表示させる。
【０１０７】
なお、図２０では、「はじめの考えを表示」に対応する表示メニュー５８Ａが選択された場合の比較一覧表示の例を示したが、「とちゅうの考えを表示」に対応する表示メニュー５８Ｂが選択された場合や、「おわりの考えを表示」に対応する表示メニュー５８Ｃが選択された場合にも、図２０と同様の比較一覧表示が行われる。また、「全体を表示」に対応する表示メニュー５８Ｄが選択された場合にも、図２０と同様の比較一覧表示が行われる。この場合には、全ての記入者によって記入された、「はじめの考え」、「とちゅうの考え」及び「おわりの考え」についてのストロークが表示されると共に、各記入者の意見の移り変わりを示す矢印（例えば図１９参照）が表示される。
【０１０８】
［本実施形態による作用効果］
以上説明した本実施形態によれば、集約処理手段２４は、記入者によって記入された意見に対応するストロークを、その意見の内容に応じた分類に従った表示態様にて適切に表示させることができる。具体的には、集約処理手段２４は、記入者によって指定された分類に応じた位置（つまり記入者が電子ペン１で分類指定用紙８をタップした位置）に、意見に対応するストロークを表示させることができる。これにより、記入者によって記入された意見及びその意見の分類を容易に把握することが可能となる。また、本実施形態によれば、複数人の記入者によって記入された意見に対応するストロークを同時に表示させることで（例えば図２０参照）、複数人の記入者によって記入された意見及びその意見の分類を容易に把握することが可能となる。
【０１０９】
更に、本実施形態によれば、記入者が各段階で記入した意見（はじめの考え、とちゅうの考え、おわりの考え）を、その意見の移り変わりが判別可能な態様にて表示させることができる（例えば図１９参照）。これにより、記入者の意見の移り変わりを容易に把握することが可能となる。
【０１１０】
更に、本実施形態によれば、意見記入用紙５及び分類指定用紙８を用いることで、記入者は、各段階での意見（はじめの考え、とちゅうの考え、おわりの考え）を適切に記入することができると共に、各段階での意見の内容に応じた分類を適切に指定することができる。
【０１１１】
［変形例］
次に、上記した実施形態の変形例について説明する。なお、変形例は上記した実施形態と適宜組み合わせて実施することができると共に、変形例同士を適宜組み合わせて実施することができる。
【０１１２】
（変形例１）
変形例１では、ユーザストローク情報表示エリア５０内の一部のエリアにストローク画像が集中するような場合に、軸５０Ｘ、５０Ｙを移動させる。具体的には、変形例１では、集約処理手段２４は、ユーザストローク情報表示エリア５０内の軸５０Ｘ、５０Ｙによって規定される４つのエリア（分類指定用紙８のユーザエリア８０１Ａ〜８０１Ｄに対応するエリア）のうちの一部のエリアにおいて、ストローク画像が重なって表示されるような場合に、ストローク画像が重ならないように、軸５０Ｘ、５０Ｙを移動させることで当該一部のエリアを広げる。
【０１１３】
図２１は、変形例１に係る処理を説明するための図を示す。図２１は、描画アプリケーションウィンドウにおけるユーザストローク情報表示エリア５０の一部分のみを示した図である。また、図２１では、説明の便宜上、ストロークを簡略化して示している。
【０１１４】
図２１（ａ）は、ユーザストローク情報表示エリア５０内の軸５０Ｘ、５０Ｙによって規定される４つのエリア５０Ａ〜５０Ｄにおいて、エリア５０Ａに、ストローク画像２１１Ａ〜２１１Ｅ（２１１）が集中している状態の表示画面例を示している。具体的には、ストローク画像２１１が重なり合っている状態の表示画面例である。このようにストローク画像２１１が重なり合って表示されるような場合に、集約処理手段２４は、ストローク画像２１１が重なり合わないように、白抜き矢印のように軸５０Ｘ、５０Ｙを移動させることでエリア５０Ａを拡張する。この場合、集約処理手段２４は、ストローク画像２１１の相対位置を維持した状態で、軸５０Ｘ、５０Ｙを移動させてエリア５０Ａを拡張する。
【０１１５】
詳しくは、集約処理手段２４は、まず、複数のストローク画像２１１のサイズや、複数のストローク画像２１１の位置（具体的には、電子ペン１によってタップされた分類指定用紙８のユーザエリア８０１上の位置に対応するユーザストローク情報表示エリア５０上の位置）などに基づいて、複数のストローク画像２１１が重なり合っているか否かを判定する。そして、集約処理手段２４は、複数のストローク画像２１１が重なり合っている場合に、上記のような位置やサイズなどに基づいて、複数のストローク画像２１１の相対位置が維持された状態で、複数のストローク画像２１１が重なり合わないように、軸５０Ｘ、５０Ｙを移動させる。この場合、集約処理手段２４は、最適な軸５０Ｘ、５０Ｙの位置を求め、その位置に軸５０Ｘ、５０Ｙを移動させる。言い換えると、複数のストローク画像２１１が含まれるエリア５０Ａの最適なサイズを求め、そのサイズにエリア５０Ａを拡張する。
【０１１６】
図２１（ｂ）は、集約処理手段２４が上記のような処理を行った後の表示画面例を示している。図２１（ｂ）に示すように、軸５０Ｘ、５０Ｙが軸５０Ｘ’、５０Ｙ’へと移動されることで、エリア５０Ａはエリア５０Ａ’へと拡張され、エリア５０Ｂ〜５０Ｄはエリア５０Ｂ’〜５０Ｄ’へと縮小される。これにより、ストローク画像２１１における相対位置が維持された状態で、互いに重なり合わなくなったストローク画像２１１Ａ’〜２１１Ｅ’（２１１’）が表示される。なお、ストローク画像２１１’は、元のストローク画像２１１と同一のサイズで表示されるものとする。つまり、軸５０Ｘ、５０Ｙを移動しても、ストローク画像２１１’のサイズは拡大されないものとする。
【０１１７】
以上説明した変形例１によれば、ストローク画像が重なり合わないように表示させることができるので、ストローク画像の視認性を確保することが可能となる。
【０１１８】
なお、上記では集約処理手段２４が軸５０Ｘと５０Ｙとを自動で移動させる例を示したが、操作者が、軸５０Ｘや５０Ｙにカーソルを当てドラッグするなど、入力手段２１を操作することで、軸５０Ｘや５０Ｙを手動で移動させることも可能である。
【０１１９】
なお、変形例１に係る表示機能は、上記した選択ユーザ表示及び比較一覧表示の両方に対して適用することができる。
【０１２０】
（変形例２）
変形例２では、ユーザストローク情報表示エリア５０におけるエリア５０Ａ〜５０Ｄのいずれかのエリア内に位置する複数のストローク画像を、操作者によって指定された順序にて並べて表示させる。具体的には、集約処理手段２４は、ストローク量の多い順や、ストロークを早く書き終わった順に、ストローク画像を並べて表示させる。
【０１２１】
図２２は、変形例２に係る処理を説明するための図を示す。図２２は、描画アプリケーションウィンドウにおけるユーザストローク情報表示エリア５０の一部分のみを示した図である。また、図２２では、説明の便宜上、ストロークを簡略化して示している。
【０１２２】
図２２（ａ）は、ストローク画像２２１Ａ〜２２１Ｃ（２２１）を並べ変える処理を行う前の表示画面例を示している。これらのストローク画像２２１は、エリア５０Ａに表示されている。操作者が、エリア５０Ａ内にカーソルを移動させて、マウスを右クリックすると、メニュー２５０が表示される。メニュー２５０は、ストローク量が多い順にストローク画像を並べるためのメニュー２５０Ａや、ストロークを書き終えたのが早い順にストローク画像を並べるためのメニュー２５０Ｂや、名簿順にストローク画像を並べるためのメニュー２５０Ｃなどを有する。集約処理手段２４は、メニュー２５０Ａが選択された場合には、各記入者が使用する電子ペン１でストローク数をカウントすることでストローク量が多い順を求めて、その順でストローク画像２２１を並べる。他方で、集約処理手段２４は、メニュー２５０Ｂが選択された場合には、各記入者が使用する電子ペン１から受信した最終記入情報に含まれる時刻情報に基づいて、ストロークを書き終えたのが早い順を求めて、その順でストローク画像２２１を並べる。
【０１２３】
図２２（ｂ）は、操作者によってメニュー２５０Ａが選択された場合の表示画面例を示している。この場合、エリア５０Ａに、ストローク量が多い順に並べられたストローク画像２２１Ａ’〜２２１Ｃ’（２２１’）が表示される。なお、図２２（ｂ）では、１つのエリア５０Ａ内のストローク画像２２１’のみを並べて表示させる例を示したが、エリア５０Ａ〜５０Ｄのうちのいずれか２以上のエリア内のストローク画像を並べて表示させても良い。また、図２２（ｂ）では、ストローク画像２２１’を縦方向に並べて表示させる例を示したが、ストローク画像２２１’を横方向に並べて表示させても良い。加えて、ストローク画像２２１’の数が多い場合には、ストローク画像２２１’を複数の列（２列や３列など）に並べて表示させても良い。
【０１２４】
以上説明した変形例２によれば、操作者によって選択された所望の順にて、ストローク画像を適切に並べて表示させることができる。
【０１２５】
なお、変形例２に係る表示機能は、上記した選択ユーザ表示及び比較一覧表示の両方に対して適用することができる。
【０１２６】
（変形例３）
変形例３は、意見記入用紙の構成が上記した意見記入用紙５（図２参照）と異なる。具体的には、変形例３では、各段階での意見（はじめの考え、とちゅうの考え、おわりの考え）を記入するための複数の意見記入用紙を用いる。つまり、変形例３では、各段階ごとに意見を記入するための意見記入用紙を個別に用意し、意見の変遷があるたびに新たな意見記入用紙に意見を記入する。
【０１２７】
図２３を参照して、変形例３に係る意見記入用紙（第１用紙）５ａについて説明する。図２３に示すように、変形例３では、複数枚の意見記入用紙５ａを用いる。意見記入用紙５ａは、意見を記入するための記入欄５０１ａと、記入欄５０１ａに記入した意見の内容に応じた分類を指定するための分割指定エリア５０２ａと、その意見が「はじめの考え」、「とちゅうの考え」及び「おわりの考え」のいずれに該当するかを選択するための選択欄５０３ａとを有する。記入欄５０１ａ、分割指定エリア５０２ａ及び選択欄５０３ａには、それぞれで座標範囲の異なるユニークなドットパターンが印刷されている。ドットパターンは、赤外線を吸収するカーボンを含んだインキにより印刷され、枠や文字は、赤外域に吸収性を持たないインキにより印刷される。複数枚の意見記入用紙５ａに、ユニークなドットパターンを印刷しても良いし、同じドットパターンを印刷しても良い。なお、図２３に示すように、変形例３でも、上記した実施形態（図３参照）と同様の分類指定用紙（第２用紙）８を用いる。複数の意見記入用紙５ａ及び分類指定用紙８は、本発明における「シートセット」に相当する。
【０１２８】
ここで、変形例３に係る意見記入用紙５ａの基本的な利用方法について説明する。まず、記入者は、意見を記入し始める際に、記入する意見が「はじめの考え」、「とちゅうの考え」及び「おわりの考え」のいずれに該当するかを、電子ペン１を用いて選択欄５０３ａから選択する。例えば、記入者は、選択欄５０３ａの「はじめ」、「とちゅう」及び「おわり」のいずれかの文字を、電子ペン１で丸で囲んだり、電子ペン１でチェックしたりする。そして、記入者は、記入欄５０１ａに意見を記入し終えた際に、分割指定エリア５０２ａに電子ペン１でタップした後に、分類指定用紙８のユーザエリア８０１内における、意見の内容に応じた位置を電子ペン１でタップすることで、記入欄５０１ａに記入した意見の内容に応じた分類を指定する。記入者は、意見の変遷があるたびに、新たな意見記入用紙５ａに意見を記入すると共に、その意見の分類を指定する。
【０１２９】
以上説明した変形例３によれば、各段階ごとに意見を記入するための複数の意見記入用紙５ａを用いることで、意見の変遷があるたびに新たな意見記入用紙５ａに意見を記入していくことができる。
【０１３０】
（変形例４）
変形例４は、意見記入用紙と分類指定用紙とが一体に構成されている点で、上記した実施形態などと異なる。つまり、変形例４では、上記した意見記入用紙及び分類指定用紙の機能が１枚の用紙に集約されている。
【０１３１】
図２４を参照して、変形例４に係る記入用紙９について説明する。図２４に示すように、記入用紙９は、意見を記入するための記入欄９０１Ａ〜９０１Ｃ（９０１）と、記入欄９０１に記入した意見の内容に応じた分類を指定するための分割指定エリア９０２Ａ〜９０２Ｃ（９０２）と、記入欄９０１に記入した意見が所定のテーマに対して賛成を示すものか、それとも反対を示すものかを記入するための記入欄９０３Ａ〜９０３Ｃ（９０３）とを有する。なお、記入欄９０３への記入は任意である。また、記入用紙９は、所定のテーマに対する意見の理由が環境によるものなのか、それともコストによるものなのかを分類するための軸９０４Ｙと、所定のテーマに対する意見が賛成であるか、それとも反対であるかを分類するための軸９０４Ｘとによって規定された２次元座標系９０４（以下、「ユーザエリア９０４」と呼ぶ。）が設けられている。ユーザエリア９０４は、軸９０４Ｘ、９０４Ｙによって分割された、４つのユーザエリア９０４Ａ〜９０４Ｄを有する。なお、ユーザエリア９０４は本発明における「第１エリア」に相当し、分割指定エリア９０２は本発明における「第２エリア」に相当し、記入用紙９は本発明における「シート」に相当する。
【０１３２】
記入欄９０１、分割指定エリア９０２及びユーザエリア９０４には、それぞれで座標範囲の異なるユニークなドットパターンが印刷されている。ドットパターンは、赤外線を吸収するカーボンを含んだインキにより印刷され、枠や文字や矢印は、赤外域に吸収性を持たないインキにより印刷される。記入用紙９は、各記入者や各グループに配布するために複数枚用意するが、複数枚の記入用紙９に、ユニークなドットパターンを印刷しても良いし、電子ペン１が送信するペンＩＤによって記入者が識別できるため、各記入用紙９の同じ領域に対し同じドットパターンを印刷しても良い。
【０１３３】
記入用紙９の基本的な利用方法は、上記の実施形態で説明した意見記入用紙５及び分類指定用紙８の利用方法と同様である。具体的には、記入者は、記入欄９０１に意見を記入していき、記入欄９０１に記入した意見の分類を指定する際に、当該記入欄９０１に対応する分割指定エリア９０２を電子ペン１でタップする。この後、記入者は、ユーザエリア９０４内における、意見の内容に応じた位置を電子ペン１でタップすることで、記入欄９０１に記入した意見の内容に応じた分類を指定する。
【０１３４】
以上説明した変形例４によれば、１枚の記入用紙９によって、意見の記入及び意見の分類の指定を行うことができる。
【０１３５】
（変形例５）
上記した実施形態では、４つの基準（環境、コスト、賛成、反対）に基づいて意見を分類していたが、変形例５では、２つの基準のみに基づいて意見を分類する。具体的には、変形例５では、所定のテーマに対する意見が賛成であるか、それとも反対であるかのみに基づいて、意見を分類する。また、変形例５では、賛成と反対とによって意見を分類するため、分類指定用紙８を用いずに、意見記入用紙５のみを用いる。すなわち、意見記入用紙５では賛成の意見を記入するための記入欄５０１Ａ、５０１Ｃ、５０１Ｅと反対の意見を記入するための記入欄５０１Ｂ、５０１Ｄ、５０１Ｆとが別個に設けられているので、意見が記入された記入欄５０１に基づいて、意見が賛成であるか反対であるかを自動的に分類することができるため、変形例５では、分類指定用紙８を用いずに意見記入用紙５のみを用いる。
【０１３６】
図２５は、変形例５に係る表示画面例を示している。図２５は、描画アプリケーションウィンドウにおけるユーザストローク情報表示エリア５０の一部分のみを示した図である。また、図２５では、説明の便宜上、ストロークを簡略化して示している。
【０１３７】
図２５に示すように、変形例５では、区切り線５０Ｐによって分割された２つのエリア５０Ｑ、５０Ｒにストローク画像が表示される。エリア５０Ｑは、賛成に分類された意見についてのストローク画像を表示するためのエリアであり、エリア５０Ｒは、反対に分類された意見についてのストローク画像を表示するためのエリアである。集約処理手段２４は、意見記入用紙５の記入欄５０１Ａ、５０１Ｃ、５０１Ｅに記入されたストロークについては、賛成に対応するエリア５０Ｑにストローク画像を表示させ、意見記入用紙５の記入欄５０１Ｂ、５０１Ｄ、５０１Ｆに記入されたストロークについては、反対に対応するエリア５０Ｒにストローク画像を表示させる。図２５に示す例では、ストローク画像２３１Ａ、２３１Ｂは賛成に対応するエリア５０Ｑに表示されており、ストローク画像２３１Ｃは反対に対応するエリア５０Ｒに表示されている。
【０１３８】
なお、変形例５では、分類指定用紙８を用いて分類を指定しないため、意見記入用紙５に分割指定エリア５０２を設けなくて良い。また、変形例５を適用するに当たって、意見記入用紙５を用いることに限定はされない。以下で、変形例５を適用可能な意見記入用紙の例を挙げる。
【０１３９】
変形例５の他の例では、図２６に示すような意見記入用紙５ｂを用いることができる。意見記入用紙５ｂは、意見を記入するための記入欄５０１ｂＡ〜５０１ｂＣ（５０１ｂ）と、記入欄５０１ｂに記入した意見が所定のテーマに対して賛成を示すものか、それとも反対を示すものかを記入するための記入欄５０３ｂＡ〜５０３ｂＣ（５０３ｂ）とを有する。この例においては、記入欄５０３ｂにはドットパターンが印刷されており、集約処理手段２４は、電子ペン１で記入欄５０３ｂに記入された文字を文字認識して、当該文字が「賛成」及び「反対」のいずれであるかを特定することにより、記入欄５０１ｂに記入された意見を賛成及び反対のいずれかに分類する。
【０１４０】
変形例５の更に他の例では、図２７に示すような意見記入用紙５ｃを用いることができる。意見記入用紙５ｃは、意見を記入するための記入欄５０１ｃＡ〜５０１ｃＣ（５０１ｃ）と、記入欄５０１ｃに記入した意見が所定のテーマに対して賛成を示すものであることを選択するための選択エリア５０３ｃＡ〜５０３ｃＣ（５０３ｃ）と、記入欄５０１ｃに記入した意見が所定のテーマに対して反対を示すものであることを選択するための選択エリア５０４ｃＡ〜５０４ｃＣ（５０４ｃ）とを有する。この例においては、選択エリア５０３ｃ、５０４ｃにはドットパターンが印刷されており、記入者は、電子ペン１で選択エリア５０３ｃ、５０４ｃのいずれかに記入する（チェックを記入したり、タップしたりする）。そして、集約処理手段２４は、選択エリア５０３ｃ、５０４ｃのうちで電子ペン１によって記入されたエリアに基づいて、記入欄５０１ｃに記入された意見を賛成及び反対のいずれかに分類する。
【０１４１】
なお、上記した変形例５では、賛成と反対といった基準に基づいて意見を分類する例を示したが、この代わりに、意見の理由が環境によるものなのか、それともコストによるものなのかといった基準に基づいて意見を分類しても良い。
【０１４２】
なお、変形例５に係る表示機能（図２５参照）は、上記した選択ユーザ表示及び比較一覧表示の両方に対して適用することができる。
【０１４３】
（変形例６）
上記では、１つの意見を記入するごとに意見の分類を指定する例を示したが、２つ以上の意見（例えば、はじめの考え、とちゅうの考え、おわりの考えの全ての意見）を記入し終えた後に、各意見の分類を指定することとしても良い。また、上記では、意見を記入した後に意見の分類を指定する例を示したが、意見を記入する前に意見の分類を指定こととしても良い。また、上記では、分割指定エリアを電子ペン１でタップした後に意見の分類を指定する例を示したが、分類指定用紙８などで意見の分類を指定した後に分割指定エリアを電子ペン１でタップすることとしても良い。加えて、分割指定エリアを用いずに意見の分類を指定することとしても良い。この場合、意見記入用紙５、５ａや記入用紙９に分割指定エリア５０２、５０２ａ、９０２Ａを設けなくても良い。
【０１４４】
（変形例７）
上記では、「はじめの考え」、「とちゅうの考え」及び「おわりの考え」といった３段階の意見を記入させる例を示したが、２段階や４段階以上の段階についての意見を記入させることとしても良い。この場合には、意見記入用紙に２段階や４段階以上の段階についての意見を記入させるための記入欄を設ければ良い。また、集約装置２側では、２段階や４段階以上の段階についての意見を表示できるように、表示意見選択リスト５８の表示メニューを構成すれば良い。
【０１４５】
（変形例８）
上記では、本発明を、記入者が意見を記入する場合に適用する例を示したが、本発明の適用はこれに限定されない。本発明は、記入者が電子ペン１でストロークを記入し、そのストロークの内容に応じた分類を指定するような場面に適用することができる。例えば、記入者が問題に対する解答を記入するような場合に、本発明を適用することができる。この例では、記入者は、解答についての解き方の分類を指定する。
【０１４６】
（変形例９）
上記では、電子ペン、ドットパターン（コード化パターン）、記入情報に、アノト方式を用いていたが、アノト方式を用いることに限定はされない。
【符号の説明】
【０１４７】
１（１Ａ〜１Ｅ）…電子ペン
２…集約装置
３…転送装置
４…プロジェクタ
５（５Ａ〜５Ｅ）…意見記入用紙
６…スクリーン
７…カラーパレット用紙
８…分類指定用紙
１０…電子ペンシステム
２０…範囲指定手段
２１…入力手段
２２…集約個別受信手段
２３…集約転送受信手段
２４…集約処理手段
２５…記憶手段
２６…表示手段
２７…送信手段
【図２】
0005866874.tif 000002
【図３】
0005866874.tif 000003
【図４】
0005866874.tif 000004
【図５】
0005866874.tif 000005
【図６】
0005866874.tif 000006
【図７】
0005866874.tif 000007
【図８】
0005866874.tif 000008
【図９】
0005866874.tif 000009
【図１０】
0005866874.tif 000010
【図１１】
0005866874.tif 000011
【図１３】
0005866874.tif 000012
【図１４】
0005866874.tif 000013
【図１５】
0005866874.tif 000014
【図２１】
0005866874.tif 000015
【図２２】
0005866874.tif 000016
【図２３】
0005866874.tif 000017
【図２４】
0005866874.tif 000018
【図２５】
0005866874.tif 000019
【図２６】
0005866874.tif 000020
【図２７】
0005866874.tif 000021
【図１】
0005866874.tif 000022
【図１２】
0005866874.tif 000023
【図１６】
0005866874.tif 000024
【図１７】
0005866874.tif 000025
【図１８】
0005866874.tif 000026
【図１９】
0005866874.tif 000027
【図２０】
0005866874.tif 000028